(57)【要約】【課題】球流通部材に設けた振分部を転動する遊技球に対する関心を持続させて、遊技の興趣の向上を図り得る遊技機を提供する。【解決手段】遊技盤に配設した球流通部材に、球入口からのパチンコ球を受入れて、第１通孔４０または第１通孔４０より下方に設けた第２通孔４１からパチンコ球を排出する第１のクルーン３７と、１通孔４０からのパチンコ球を受入れて、第３通孔４７または第４通孔４８からパチンコ球を排出する第２のクルーン４３とを設ける。このとき、第２のクルーン４３に設けた第３通孔４７から排出されたパチンコ球は、始動入賞装置へ高確率で入賞し、第１のクルーン３７に設けた第２通孔４１、および第２のクルーン４３に設けた第４通孔４８から排出されたパチンコ球は、始動入賞装置へ低確率で入賞するよう構成する。そして、第１のクルーン３７に、第２通孔４１から第１通孔４０へ向けてパチンコ球を転動させる誘導部４２を形成した。【選択図】図４
2008017940.tif 000002
【特許請求の範囲】
【請求項１】
遊技盤の遊技領域を流下する遊技球を、球通入部から受入れて球排出部から排出させる球流通部材を遊技盤に配設するよう構成した遊技機において、
前記球流通部材は、前記球通入部からの遊技球を受入れて、有利な状態を惹起する入賞口への入賞確率が高確率となる第１の球出口、または該入賞口への入賞確率が低確率となる第２の球出口の何れかから遊技球を排出する振分部を備え、
前記第１の球出口を前記第２の球出口より下方に位置するよう設けると共に、前記振分部の底面に少なくとも第２の球出口の一部を囲繞するよう突出する誘導部を形成して、第２の球出口から第１の球出口へ向けて遊技球を転動させ得るよう構成した
ことを特徴とする遊技機。
【請求項２】
前記振分部の底面は、前記第２の球出口から第１の球出口へ向けて下方傾斜するよう形成されて、前記第２の球出口の上端部は、該第２の球出口における第１の球出口から離間する側において振分部の底面と同一の高さに位置するよう構成される請求項１記載の遊技機。
【請求項３】
遊技盤の遊技領域を流下する遊技球を、球通入部から受入れて球排出部から排出させる球流通部材を遊技盤に配設するよう構成した遊技機において、
前記球流通部材は、
前記球通入部からの遊技球を受入れて、第１の球出口または該第１の球出口より下方に設けた第２の球出口から遊技球を排出する第１の振分部と、
前記第１の球出口からの遊技球を受入れて、第３の球出口または第４の球出口から遊技球を排出する第２の振分部とを備え、
前記第２の振分部に設けた第３の球出口から排出された遊技球は、有利な状態を惹起する入賞口へ高確率で入賞し、前記第１の振分部に設けた第２の球出口、および第２の振分部に設けた第４の球出口から排出された遊技球は、該入賞口へ低確率で入賞するよう構成し、
前記第１の振分部の底面に、少なくとも前記第２の球出口の一部を囲繞するよう突出する誘導部を形成して、第２の球出口から第１の球出口へ向けて遊技球を転動させ得るよう構成した
ことを特徴とする遊技機。
【請求項４】
前記第１の振分部の底面は、前記第２の球出口から第１の球出口へ向けて下方傾斜するよう形成されて、前記第２の球出口の上端部は、該第２の球出口における第１の球出口から離間する側において第１の振分部の底面と同一の高さに位置するよう構成される請求項３記載の遊技機。
【請求項５】
前記第２の振分部の底面は、前記第４の球出口から第３の球出口へ向けて下方傾斜するよう形成される請求項３または４記載の遊技機。
【発明の詳細な説明】
【技術分野】
【０００１】
本発明は、遊技機に関し、更に詳細には、遊技盤の遊技領域を流下する遊技球を球通入部から受入れて球排出部から遊技領域へ排出させる球流通部材を備える遊技機に関するものである。
【背景技術】
【０００２】
パチンコ機やアレンジボール機等の遊技機では、機内にセットされる遊技盤の盤面に画成した遊技領域の略中央位置に枠状の球流通部材(所謂センター役物)が配設されており、この球流通部材の開口部を介して複数の図柄を変動表示して図柄変動ゲームを行なう液晶式やドラム式等の図柄表示装置を後方から臨ませると共に、該遊技盤における球流通部材の下方位置に、パチンコ球(遊技球)の入賞が図柄表示装置での変動開始条件となる始動入賞装置(入賞口)を配設するよう構成したものが多数提案されている。すなわち、この種の遊技機では、前記遊技領域に打ち出されたパチンコ球が前記始動入賞装置に入賞することにより、前記図柄表示装置で図柄変動ゲームに伴うリーチ演出等の各種の遊技演出がなされ、該図柄表示装置に図柄が所定の組合わせで停止すると、遊技者に有利な所謂大当りが発生するようになっている。このように、大当りが発生するためには、前記始動入賞装置へのパチンコ球の入賞が必要とされることから、遊技者は、前記図柄表示装置での図柄変動ゲームと同様に、始動入賞装置へのパチンコ球の入賞にも大きな関心を持って遊技を楽しんでいる。
【０００３】
ここで、前記球流通部材には、遊技領域を流下するパチンコ球を受入れ可能な球入口(球通入部)を形成すると共に、パチンコ球が転動可能な振分部を設けて、球入口を介して受入れたパチンコ球を、振分部で振分けた後に遊技領域へ排出することで、パチンコ球の動きを楽しませるよう構成したものが提案されている。例えば、特許文献１参照に記載のパチンコ機では、前記球流通部材の右側部に、パチンコ球が周回するよう転動する転動面を円形状に形成した前記振分部としてのクルーンが上下に離間する２箇所に設けられている。また、上側に位置するクルーンには、下側に位置するクルーンへ案内される通孔と、該下側のクルーンへ案内されない通孔とを設けると共に、下側に位置するクルーンには、前記始動入賞装置へ高確率で入賞させる通孔と、始動入賞装置へ低確率で入賞させる通孔とを設けて、球流通部材が受入れたパチンコ球が、各クルーンの通孔に通過する位置に応じて始動入賞装置への入賞確率を変化するよう構成し、パチンコ球の動きに対する遊技者の興味を惹き付けるようになっている。更に、前記各クルーンを遊技盤の盤面より前側に突出させ、クルーンを遊技者側にできる限り近づけて、クルーン上のパチンコ球に対する視認性を高めている。
【特許文献１】特開２００６−１１５８９８号公報
【発明の開示】
【発明が解決しようとする課題】
【０００４】
ところで、前記特許文献１に記載のパチンコ機では、前記上下のクルーンにおける通孔の間に突起が形成されている。このため、クルーン上を転動するパチンコ球が始動入賞装置へ低確率で入賞させる通孔の周りを周回し始めると、この低確率で入賞させる通孔に落下することとなる。すなわち、クルーン上を転動するパチンコ球が始動入賞装置へ低確率で入賞させる通孔の周りを周回し始めた時点で、該遊技球の動きに対する関心が急速に失われ、遊技の興趣が低下する問題が指摘される。
そこで、本発明は、球流通部材に設けた振分部を転動する遊技球に対する関心を持続させて、遊技の興趣の向上を図り得る遊技機を提供することを目的とする。
【課題を解決するための手段】
【０００５】
前記課題を克服し、所期の目的を達成するため、本願の請求項１に係る遊技機は、
遊技盤(10)の遊技領域(10b)を流下する遊技球(B)を、球通入部(22)から受入れて球排出部(57,58,59)から排出させる球流通部材(13)を遊技盤(10)に配設するよう構成した遊技機において、
前記球流通部材(13)は、前記球通入部(22)からの遊技球(B)を受入れて、有利な状態を惹起する入賞口(11)への入賞確率が高確率となる第１の球出口(40)、または該入賞口(11)への入賞確率が低確率となる第２の球出口(41)の何れかから遊技球(B)を排出する振分部(37)を備え、
前記第１の球出口(40)を前記第２の球出口(41)より下方に位置するよう設けると共に、前記振分部(37)の底面(38)に少なくとも第２の球出口(41)の一部を囲繞するよう突出する誘導部(42)を形成して、第２の球出口(41)から第１の球出口(40)へ向けて遊技球(B)を転動させ得るよう構成したことを要旨とする。
【０００６】
このように、球流通部材の球通入部から受入れた遊技球は、振分部において有利な状態を惹起する入賞口への入賞確率が高確率となる第１の球出口、または該入賞口への入賞確率が低確率となる第２の球出口の何れかから排出される。このとき、前記第１の球出口を第２の球出口より下方に位置するよう設けて、前記振分部において第２の球出口から第１の球出口へ向けて遊技球が転動し得るようにしたから、第２の球出口側へ一旦移動した遊技球が、第１の球出口へ移動する可能性を残すことができ、振分部を転動する遊技球に対する関心を持続させて、遊技に対する興趣の向上が図られる。また、振分部の底面に少なくとも第２の球出口の一部を囲繞するよう突出する誘導部を形成したことで、遊技球が第１の球出口へ案内され易くなるから、振分部を転動する遊技球に対する関心をより一層高め得る。
【０００７】
請求項２に係る遊技機は、前記振分部(37)の底面(38)は、前記第２の球出口(41)から第１の球出口(40)へ向けて下方傾斜するよう形成されて、前記第２の球出口(41)の上端部は、該第２の球出口(41)における第１の球出口(40)から離間する側において振分部(37)の底面(38)と同一の高さに位置するよう構成されることを要旨とする。
【０００８】
このように、前記振分部の底面を第２の球出口から第１の球出口へ向けて下方傾斜させることで、第２の球出口から第１の球出口へ向けて遊技球が転動する期待感が高まり、振分部を転動する遊技球に対して関心がより惹き付けられる。また、前記第２の球出口の上端部を、該第２の球出口における第１の球出口から離間する側において振分部の底面と同一の高さに位置するよう構成することで、遊技球が第２の球出口へ向けて転動する可能性も残るから、振分部上を転動する遊技球の動きに対する関心が高くなる。ここで、前記第１の球出口を第２の球出口のより下方に形成したことで、一旦第２の球出口へ向けて遊技球が転動した場合であっても、遊技球が第１の球出口へ移動する可能性が残り、遊技者の興趣を低減することはない。
【０００９】
前記課題を克服し、所期の目的を達成するため、本願の請求項３に係る遊技機は、
遊技盤(10)の遊技領域(10b)を流下する遊技球(B)を、球通入部(22)から受入れて球排出部(57,58,59)から排出させる球流通部材(13)を遊技盤(10)に配設するよう構成した遊技機において、
前記球流通部材(13)は、
前記球通入部(22)からの遊技球(B)を受入れて、第１の球出口(40)または該第１の球出口(40)より下方に設けた第２の球出口(41)から遊技球(B)を排出する第１の振分部(37)と、
前記第１の球出口(40)からの遊技球(B)を受入れて、第３の球出口(47)または第４の球出口(48)から遊技球(B)を排出する第２の振分部(43)とを備え、
前記第２の振分部(43)に設けた第３の球出口(47)から排出された遊技球(B)は、有利な状態を惹起する入賞口(11)へ高確率で入賞し、前記第１の振分部(37)に設けた第２の球出口(41)、および第２の振分部(43)に設けた第４の球出口(48)から排出された遊技球(B)は、該入賞口(11)へ低確率で入賞するよう構成し、
前記第１の振分部(37)の底面(38)に、少なくとも前記第２の球出口(41)の一部を囲繞するよう突出する誘導部(42)を形成して、第２の球出口(41)から第１の球出口(40)へ向けて遊技球(B)を転動させ得るよう構成したことを要旨とする。
【００１０】
このように、球流通部材の球通入部から受入れた遊技球は、第２の振分部へ連通する第１の球出口、または入賞口への入賞確率が低確率となる第２の球出口の何れかから排出される。このとき、第２の振分部には有利な状態を惹起する入賞口へ高確率で入賞させる第３の球出口を設けると共に、前記第１の球出口を第２の球出口より下方に位置するよう設けて、前記第１の振分部において第２の球出口から第１の球出口へ向けて遊技球が転動し得るようにしたから、第２の球出口側へ一旦移動した遊技球が、より遊技者に有利な第１の球出口へ移動する可能性を残すことができ、第１の振分部を転動する遊技球に対する関心を持続させて、遊技に対する興趣の向上が図られる。また、第１の振分部の底面に少なくとも第２の球出口の一部を囲繞するよう突出する転動部を形成したことで、遊技球が第１の球出口へ案内され易くなるから、第１の振分部を転動する遊技球に対する関心をより一層高め得る。
【００１１】
請求項４に係る遊技機は、前記第１の振分部(37)の底面(38)は、前記第２の球出口(41)から第１の球出口(40)へ向けて下方傾斜するよう形成されて、前記第２の球出口(41)の上端部は、該第２の球出口(41)における第１の球出口(40)から離間する側において第１の振分部(37)の底面(38)と同一の高さに位置するよう構成されることを要旨とする。
【００１２】
このように、前記第１の振分部の底面を第２の球出口から第１の球出口へ向けて下方傾斜させることで、第２の球出口から第１の球出口へ向けて遊技球が転動する期待感が高まり、第１の振分部を転動する遊技球に対して関心がより惹き付けられる。また、前記第２の球出口の上端部を、該第２の球出口における第１の球出口から離間する側において第１の振分部の底面と同一の高さに位置するよう構成することで、遊技球が第２の球出口へ向けて転動する可能性も残るから、第１の振分部上を転動する遊技球の動きに対する関心が高くなる。ここで、前記第１の球出口を第２の球出口のより下方に形成したことで、一旦第２の球出口へ向けて遊技球が転動した場合であっても、遊技球が第１の球出口へ移動する可能性が残り、遊技者の興趣を低減することはない。
【００１３】
請求項５に係る遊技機は、前記第２の振分部(43)の底面(44)は、前記第４の球出口(48)から第３の球出口(47)へ向けて下方傾斜するよう形成されることを要旨とする。
【００１４】
このように、前記第２の振分部の底面を前記第４の球出口から第３の球出口へ向けて下方傾斜するよう形成させることで、第１の振分部から第２の振分部に到来した遊技球が第３の球出口へ向けて転動する期待感が高まり、第２の振分部を転動する遊技球に対する関心を向上して、遊技の興趣を高め得る。
【発明の効果】
【００１５】
本発明によれば、球流通部材に設けた振分部を転動する遊技球に対する関心を持続させ得るから、遊技の興趣を向上し得る。
【発明を実施するための最良の形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤を正面側(遊技者側)から見た状態で指称するものとする。
【実施例】
【００１７】
図１に示すように、実施例に係るパチンコ機の遊技盤１０は、略円形状に湾曲形成したレール１０ａにより囲まれた遊技領域１０ｂの前側において、下部にパチンコ球Ｂ(図５、図６、図９または図１０参照)をスイッチで検出し得る始動入賞装置(入賞口)１１と、この始動入賞装置１１の直上方に配設されて遊技領域１０ｂの略中央に位置し、図柄表示装置１２が後方から臨む球流通部材１３と、始動入賞装置１１の直下方に設置された特別入賞装置１４等を備えている。ここで、前記始動入賞装置１１内に配設した図示しないスイッチがパチンコ球Ｂを検出することで、前記図柄表示装置１２で図柄変動ゲームが開始される。また、前記特別入賞装置１４は、図１に示されるように、扉状の開閉板１６が、後側の電磁ソレノイド(図示せず)に係る設定駆動条件に基づいて、通常の閉鎖状態から開放状態に変化し得るよう構成されて、前記図柄変動ゲームの結果、特別遊技(所謂大当り)が発生すると開閉板１６が開放して多数の賞球を得る機会が付与されるようになっている。また、前記遊技盤１０における遊技領域１０ｂの最下方位置には、前記始動入賞装置１１や特別入賞装置１４等の入賞装置に入賞しなかったパチンコ球Ｂを排出するアウト口１７を設けてある。更に、前記遊技盤１０における遊技領域１０ｂ内には、多数の遊技釘１８が植設されており、該遊技釘１８との接触によりパチンコ球Ｂが方向を変えつつ流下するようになっている。
【００１８】
(球流通部材について)
前記球流通部材１３は、図１に示すように、前記遊技領域１０ｂの大部分を占める大型部材であって、中央位置が前後に開口する枠状に形成された枠状本体２０と、該枠状本体２０から外方へ延出する取付板２１とを備え(図２参照)、枠状本体２０の開口部２０ａを介して前記図柄表示装置１２が臨むよう構成されている。そして、前記遊技盤１０に開設した取付孔(図示せず)の前側から枠状本体２０を挿入した状態で、取付板２１を遊技盤１０にネジ止めすることで固定される。なお、前記枠状本体２０や取付板２１には、各種意匠を施した装飾体２０ｂを複数配設してある(図１または図２参照)。
【００１９】
図１〜図３に示すように、前記枠状本体２０の内周下面側(下縁部)には、パチンコ球Ｂが転動可能なステージ部材２５が配設されている。また、前記枠状本体２０の左側部には、遊技領域１０ｂに開口する球入口(球通入部)２２が開設されると共に(図１参照)、該球入口２２に連通してパチンコ球Ｂを前記ステージ部材２５へ誘導する球誘導路２３が形成されており、遊技盤１０の遊技領域１０ｂを流下するパチンコ球Ｂが、該枠状本体２０の球入口２２および球誘導路２３を介してステージ部材２５上に移動し得るようになっている。
【００２０】
前記ステージ部材２５は、図３に示すように、前記球流通部材１３の奥側(図柄表示装置１２側)に配設されてパチンコ球Ｂが転動可能な第１球通路２７と、該第１球通路２７の前側下方に設けられて第１球通路２７からのパチンコ球Ｂを受入れ可能で、パチンコ球Ｂが円を描くよう転動可能な第１のクルーン(振分部、第１の振分部)３７と、該第１のクルーン３７の下方に設けられて第１のクルーン３７からのパチンコ球Ｂを受入れ可能で、パチンコ球Ｂが円を描くよう転動可能な第２のクルーン(第２の振分部)４３と、球流通部材１３の前側(取付板２１側)に設けられ、第１および第２のクルーン３７,４３からのパチンコ球Ｂを受入れて転動する第２球通路５３とから基本的に構成されている。なお、実施例では、前記第１および第２のクルーン３７,４３は、透明または半透明の部材で形成されて、転動するパチンコ球Ｂの動きを目視し得るようになっている。なお、本発明において「クルーン」とは、転動面上を周回するよう転動させたパチンコ球を、該転動面に設けた通孔から排出させる役物を意味している。
【００２１】
(第１球通路について)
ここで、前記第１球通路２７は、図２または図３に示すように、上下方向に緩やかに起伏する波形に形成されて、第１球通路２７に到来したパチンコ球Ｂは、上下方向に変位しながら左右に転動するようになっている。なお、第１球通路２７は、左右方向の略中央位置で上方傾斜から下方傾斜に変位し、左右の端部近傍で下方傾斜から上方傾斜に変位するよう形成される。そして、前記第１球通路２７の最上方位置および最下方位置の計３箇所に、前側へ向けて下方傾斜する凹所２８,２９,２９を夫々形成してある。また、前記第１球通路２７の前端縁には、各凹所２８,２９,２９に対応する位置を前後に開口するよう切り欠いた規制板３０が上方へ向けて突出形成されており、該第１球通路２７を転動するパチンコ球Ｂを何れかの凹所２８,２９,２９から前方へ向けて排出するようになっている。なお、以下の説明において、第１球通路２７の最上方位置に位置する凹所２８に対応する排出部を第１落下口３１と指称し、第１球通路２７の最下方位置に位置する凹所２９,２９に対応する排出部を第２落下口３２,３２と指称する。すなわち、左右方向の中央に第１落下口３１が位置し、第１落下口３１を挟む両側に第２落下口３２,３２が位置している。
【００２２】
図３に示すように、前記枠状本体２０における前記第１落下口３１に対応する位置には、前方へ延出する球案内部３４が形成されると共に、該球案内部３４の前端に、右方へ下方傾斜する第１樋部３５が設けられており、第１落下口３１から排出されたパチンコ球Ｂを、球流通部材１３の前方右側へ案内しつつ前記第１のクルーン３７へ移動させるようになっている。一方、前記第２落下口３２,３２から排出されたパチンコ球Ｂは、前記第２球通路５３へ直接落下するよう構成されている。
【００２３】
(第１のクルーンについて)
前記第１のクルーン３７は、図１〜図５に示すように、転動面３８が円形をなす皿状に形成されて、前記ステージ部材２５における左右方向の略中央位置より右側に偏った位置に設けられている(図１または図２参照)。すなわち、前記第１のクルーン３７は、前記始動入賞装置１１に対して右側へ変位した位置に設けられる。ここで、前記第１のクルーン３７は、前記取付板２１(後述する第１〜第３球排出部５７,５８,５９の前端部)より前方へ突出すると共に、第１のクルーン３７の後側が、前記第１球通路２７と上下に重なり合う大きさに形成されて、該第１のクルーン３７上でのパチンコ球Ｂの転動領域を確保している。具体的には、実施例では第１のクルーン３７(転動面３８)の直径をパチンコ球Ｂの直径の略４倍となるよう設定してある。なお、前記第１樋部３５は、前記第１のクルーン３７の転動面３８上の前側において、該転動面３８の接線方向に延在するよう設けられており(図４参照)、該第１樋部３５から移動するパチンコ球Ｂがスムーズに周回してパチンコ球Ｂの動きによる演出効果を高め得るようになっている。また、前記第１樋部３５は、前記転動面３８より上方に位置するよう設けられ、該転動面３８を転動するパチンコ球Ｂの動きを妨げないようになっている。また、前記第１のクルーン３７には、転動面３８の外周縁から上方へ立上がる壁部３９が設けられており、転動面３８上を転動するパチンコ球Ｂが外側へ落球しないようになっている。
【００２４】
図４、図５、図７〜図１０に示すように、前記第１のクルーン３７の転動面３８には、該転動面３８の中心点より左側位置(ステージ部材２５の左右方向の中央寄りの位置)に、上下に貫通する第１通孔(第１の球出口)４０が穿設されて、該第１通孔４０を通過したパチンコ球Ｂが前記第２のクルーン４３へ案内されるよう構成される。また、前記第１のクルーン３７の転動面３８は、前記第１通孔４０へ向けて下方傾斜するよう形成されて、該転動面３８上のパチンコ球Ｂの多くが次第に第１通孔４０へ向けて移動するようになっている。なお、第１のクルーン３７の転動面３８は、図８に示す角度θで傾斜している。
【００２５】
また、図４、図５、図７〜図１０に示すように、前記第１のクルーン３７の転動面３８における前記中心点より右側位置には、上下に貫通する第２通孔(第２の球出口)４１が穿設された円筒状の誘導部４２が、該転動面３８より上方へ突出するよう形成されている。ここで、前記誘導部４２は、上端部が水平方向へ延在するよう形成されて、該誘導部４２が画成する第２通孔４１の端縁が水平方向へ延在している。なお、前記第２通孔４１は、前記第２球通路５３の上方で開口するよう形成されて、該第２通孔４１から第２球通路５３へパチンコ球Ｂが落下するよう構成してある。ここで、図４、図５、図８〜図１０に示すように、前記誘導部４２は、前記第１通孔４０に近接する側(誘導部４２の左側)においては第１のクルーン３７の転動面３８より上方に突出する一方、第１通孔４０から離間する側(誘導部４２の右側)においては第２通孔４１を画成する位置が転動面３８と同一の高さに位置し、転動面３８から誘導部４２が突出しないようになっている。
【００２６】
前記転動面３８と第２通孔４１との関係について、図８を用いて詳細に説明する。なお、図８は、前記第１通孔４０の中心点と第２通孔４１の中心点とを結んだ線での第１のクルーン３７の縦断面図であって、誘導部４２の形成位置を拡大して示している。ここで、図８中の点Ｐは、前記第１通孔４０に近接する側(誘導部４２の左側)において前記誘導部４２が前記第１のクルーン３７の転動面３８から立上がる点であり、点Ｑは、点Ｐの鉛直線方向における誘導部４２の上端部である。また、線Ｌ１は、前記点Ｐを通る水平線であり、線Ｌ２は転動面３８の延長線である。すなわち、前記転動面３８の傾斜角度θは、水平線Ｌ１と延長線Ｌ２がなす角となる。また、点Ｒは、前記点Ｑを通る水平線Ｌ３と前記延長線Ｌ２との交点であって、この交点Ｒにおいて前記第２通孔４１の上端部と転動面３８とが同一の高さに位置する。すなわち、前記誘導部４２は、前記水平線Ｌ１および水平線Ｌ３の高低差Ｈを最大値となるよう、前記Ｒから点Ｐに至る間において転動面３８(延長線Ｌ２)の傾斜に従って突出寸法が漸増する。これにより、前記第２通孔４１に対しては右方から転動するパチンコ球Ｂは容易に進入し得る一方で、第２通孔４１の前後または左側から転動するパチンコ球Ｂは、点Ｒから点Ｐへ近づくにつれて誘導部４２が障害となって第２通孔４１への進入が困難となる。なお、実施例では、前記転動面３８において前記第２通孔４１の上端部と同一の高さとなる部位は、図４に２点鎖線Ｃ１で示すように、前後方向に一定の幅を有するよう形成されている。
【００２７】
(第２のクルーンについて)
図４および図６に示すように、前記第２のクルーン４３は、転動面４４が横長楕円形をなす皿状に形成されて、前記第１のクルーン３７の下方に位置するよう前記ステージ部材２５における左右方向の略中央位置に設けられる。すなわち、前記第２のクルーン４３は、前記始動入賞装置１１の直上に位置するよう設けられる。ここで、前記第２のクルーン４３は、短軸が前後方向に延在すると共に、長軸が左右方向へ延在するよう形成されて、該第２のクルーン４３の全体が前記取付板２１(第１〜第３球排出部５７,５８,５９の前端部)より後方に位置するよう構成される。また、第２のクルーン４３の後側が、前記第１球通路２７と上下に重なり合うよう形成されて(図３参照)、該第２のクルーン４３上でのパチンコ球Ｂの転動領域を確保している。具体的には、実施例では第２のクルーン４３の短軸方向の寸法をパチンコ球Ｂの直径の略２倍となるよう設定すると共に、長軸方向の寸法をパチンコ球Ｂの直径の略４倍となるよう設定してある。
【００２８】
また、前記第２のクルーン４３の右側部には、前記第１のクルーン３７に穿設した第１通孔４０の下方まで延在する第２樋部４５が形成されており、該第２樋部４５により第１通孔４０から排出されたパチンコ球Ｂを第２のクルーン４３へ案内するようになっている。なお、前記第２樋部４５は、前記第２のクルーン４３の転動面４４上の前側において、該転動面４４の接線方向に延在するよう設けられており(図６参照)、該第２樋部４５から移動するパチンコ球Ｂがスムーズに周回し得るようになっている。また、前記第２樋部４５は、前記転動面４４より上方に位置するよう設けられ、該転動面４４を転動するパチンコ球Ｂの動きを妨げないようになっている。また、前記第２のクルーン４３には、転動面４４の外周縁から上方へ立上がる壁部４６が設けられており、転動面４４上を転動するパチンコ球Ｂが外側へ落球しないようになっている。
【００２９】
図６および図７に示すように、前記第２のクルーン４３の転動面４４には、上下に貫通する第３通孔(第３の球出口)４７および第４通孔(第４の球出口)４８が、長軸上において転動面４４の中心点を挟む位置に形成されて、第２のクルーン４３に到来したパチンコ球Ｂを、第３通孔４７または第４通孔４８から排出するようになっている。なお、前記第３通孔４７は、前記始動入賞装置１１と上下方向に整列する位置に設けられる。ここで、前記ステージ部材２５には、前記第２のクルーン４３に穿設した前記第３通孔４７の下方位置に前方へ下方傾斜する第１凹部５０が形成されると共に、前記第４通孔４８の下方位置に前方へ下方傾斜する第２凹部５１が形成されており(図２または図３参照)、該第３および第４通孔４８から排出されたパチンコ球Ｂは、対応する凹部５０,５１を介して前記第２球通路５３へ案内されるよう構成されている。
【００３０】
また、図７に示すように、前記第２のクルーン４３の転動面４４は、前記第３通孔４７へ向けて下方傾斜するよう形成されて、該第３通孔４７が第４通孔４８より下方に位置するよう構成してある。すなわち、前記第２のクルーン４３の転動面４４上のパチンコ球Ｂの多くは、前記第３通孔４７へ向けて次第に移動する。なお、実施例では、第４通孔４８の直径より第３通孔４７の直径を大きく形成し、第３通孔４７からパチンコ球Ｂを排出し易くしている。
【００３１】
(第２球通路について)
前記第２球通路５３は、前記始動入賞装置１１の直上位置が最も下方に位置するよう湾曲形成されて(図１〜図３参照)、該第２球通路５３に到来したパチンコ球Ｂは、始動入賞装置１１の上方へ集合するようになっている。なお、実施例では、前記第２球通路５３は、前記枠状本体２０の下縁部に一体的に形成されている。また、前記第２球通路５３の最下方位置には、前方傾斜する凹所が３箇所並列して設けられており、第２球通路５３を転動するパチンコ球Ｂを各凹所に沿って前方へ移動させるようになっている。ここで、前記第２球通路５３の前端縁には、前記凹所に対応する位置を前後に開口するよう切り欠いた状態で前記取付板２１が延出するよう形成されており、凹所に沿って前方移動するパチンコ球Ｂを遊技領域１０ｂ内に排出し得るようになっている。すなわち、前記各凹所と対応する位置が、第２球通路５３を転動するパチンコ球Ｂを排出する球排出部(球排出部)として機能する。なお、以下の説明において、中央に位置する球排出部を第１球排出部５７と指称し、該第１球排出部５７の左側に位置する球排出部を第２球排出部５８と指称し、第１球排出部５７の右側に位置する球排出部を第３球排出部５９と指称する。
【００３２】
すなわち、前記第１球排出部５７は、前記第２球通路５３において始動入賞装置１１の直上に位置するよう形成されて(図１参照)、該第１球排出部５７から排出されたパチンコ球Ｂが始動入賞装置１１に高確率で入賞する一方、前記第２および第３球排出部５８,５９の夫々は、始動入賞装置１１に対して左右方向へ変位して位置するよう形成されて(図１参照)、該第２または第３球排出部５８,５９から排出されたパチンコ球Ｂが始動入賞装置１１に入賞する確率は低くなっている。また、前記第１球排出部５７は、前記第１凹部５０(第２のクルーン４３の第３通孔４７)と前後に整列し(図２参照)、前記第２球排出部５８は、前記第２凹部５１(第２のクルーン４３の第４通孔４８)と前後に整列するよう設けられる(図３参照)。
【００３３】
〔実施例の作用〕
次に、前述のように構成された実施例に係るパチンコ機の作用につき説明する。
【００３４】
前記遊技盤１０の遊技領域１０ｂへ打ち出されたパチンコ球Ｂは、遊技盤１０に植設した前記遊技釘１８との接触により方向を変えつつ流下して、始動入賞装置１１、特別入賞装置１４またはその他の一般入賞口に入るセーフ球と、アウト口１７に回収されるアウト球とに区分される。そして、前記始動入賞装置１１へのパチンコ球Ｂの入賞により、前記図柄表示装置１２において所要の図柄変動ゲームが展開されると共に所要数の賞球の払出しが行なわれ、遊技者が望む有利な状態が惹起される。
【００３５】
ここで、パチンコ球Ｂが遊技領域１０ｂを流下するに際して前記球流通部材１３の左側部に設けた球入口２２を通過すると、該球流通部材１３に設けた球誘導路２３を介してパチンコ球Ｂが前記ステージ部材２５の第１球通路２７に誘導される。前記第１球通路２７に到来したパチンコ球Ｂは、該第１球通路２７に沿って上下方向に変位しながら左右方向に転動する。このパチンコ球Ｂは、第１球通路２７での転動の過程において、第１落下口３１から排出されて球案内部３４および第１樋部３５を介して第１のクルーン３７へ移動するか、第２落下口３２,３２から排出されて第２球通路５３へ移動して左右に転動する。なお、前記第２球通路５３へ移動したパチンコ球Ｂは、最終的に第１〜第３球排出部５７,５８,５９の何れかから遊技領域１０ｂへ排出される。
【００３６】
また、前記第１落下口３１から球案内部３４および第１樋部３５を介して第１のクルーン３７に移動したパチンコ球Ｂは、該第１のクルーン３７の壁部３９に沿って円軌道を描くよう転動(周回)する(図５参照)。そして、パチンコ球Ｂは第１のクルーン３７での転動の過程において、第１のクルーン３７の転動面３８に穿設した第１通孔４０から排出されて前記第２樋部４５を介して第２のクルーン４３へ移動するか、該転動面３８に穿設した第２通孔４１から排出されて第２球通路５３へ移動する。また、前記第１通孔４０から第２樋部４５を介して第２のクルーン４３に移動したパチンコ球Ｂは、該第２のクルーン４３の壁部４６に沿って楕円軌道を描くよう転動する(図６参照)。そして、パチンコ球Ｂは第２のクルーン４３での転動の過程において、第２のクルーン４３の転動面４４に穿設した第３通孔４７から第１凹部５０へ排出されて第２球通路５３へ移動するか、転動面４４に穿設した第４通孔４８から第２凹部５１へ排出されて第２球通路５３へ移動する。このとき、前記第１凹部５０は前記第２球通路５３の第１球排出部５７に対して前後に整列し、前記第２凹部５１は第２球通路５３の第２球排出部５８に対して前後に整列するから、第３通孔４７から落下したパチンコ球Ｂは最終的に第１球排出部５７から遊技領域１０ｂへ排出され、第４通孔４８から落下したパチンコ球Ｂは最終的に第２球排出部５８から遊技領域１０ｂへ排出される。
【００３７】
ここで、前記第１球排出部５７は前記始動入賞装置１１の直上に位置するよう設けられ、前記第２および第３球排出部５８,５９は始動入賞装置１１に対して左右方向へ変位するよう設けられている。従って、第１球排出部５７から最終的に排出されるパチンコ球Ｂは始動入賞装置１１へ向けて落下して入賞確率が高くなる一方、第２または第３球排出部５８,５９から排出されるパチンコ球Ｂは始動入賞装置１１へ向けて落下し難いため、第１球排出部５７から排出された場合に較べて始動入賞装置１１への入賞確率が低くなる。すなわち、前記球流通部材１３に受入れられたパチンコ球Ｂが、前記第２のクルーン４３の第３通孔４７から排出される特定のルート(すなわち、第１落下口３１、第１通孔４０、第３通孔４７を通過するルート)を通った場合に、遊技者にとって有利状態が惹起され易く、他のルートを通った場合には特定のルートを通った場合に較べて遊技者にとって相対的に不利となる。すなわち、パチンコ球Ｂが球流通部材１３に受入れられると、前記特定のルートをパチンコ球Ｂが通るか否かに遊技者の関心が寄せられる。
【００３８】
実施例では、前記第１のクルーン３７の転動面３８を、前記第１通孔４０へ向けて下方傾斜するよう形成してあるから、パチンコ球Ｂの多くが転動面３８を周回するにつれて次第に第１通孔４０へ向けて移動する。すなわち、第１通孔４０と第２通孔４１とを同一高さ位置に設けた場合に較べて、パチンコ球Ｂが第１通孔４０側へ案内されるから、第１のクルーン３７を周回するパチンコ球Ｂに対する遊技者の関心が高くなる。また、第１通孔４０を第２通孔４１より下方に位置するよう構成すると共に、第２通孔４１から第１通孔４０へのパチンコ球Ｂの移動を阻害する部材等を設けていないから、パチンコ球Ｂが第２通孔４１側へ移動したとしても、例えば図９に示すように、第１通孔４０および第２通孔４１の何れにもパチンコ球Ｂが移動する可能性が残り、第１のクルーン３７を転動するパチンコ球Ｂに対する関心を持続させて、パチンコ球Ｂの動きを楽しませることができる。
【００３９】
また、前記第１のクルーン３７の転動面３８には、前記第２通孔４１を囲繞するよう誘導部４２が形成されているから、パチンコ球Ｂが第２通孔４１へ向けて移動し難くなる。換言すると、第１のクルーン３７を転動するパチンコ球Ｂは、前記第１通孔４０へ相対的に案内され易くなるから、該第１のクルーン３７を転動するパチンコ球Ｂに対する遊技者の関心をより一層高め得る。殊に、実施例では、前記誘導部４２は、前記第１通孔４０に近接する側(誘導部４２の左側)において上端部が第１のクルーン３７の転動面３８より上方に位置する一方、第１通孔４０から離間する側(誘導部４２の右側)において第２通孔４１の上端部が転動面３８と同一の高さに位置するよう形成してある。すなわち、前記第２通孔４１の右方向から移動するパチンコ球Ｂは、該第２通孔４１へ進入し得る一方で(図１０参照)、前記第１のクルーン３７の前後または左側に移動したパチンコ球Ｂは、点Ｒから点Ｐへ近づくにつれて誘導部４２が障害となって前記第２通孔４１への移動が困難となっているから、該第１のクルーン３７を転動するパチンコ球Ｂが第２通孔４１を通過する可能性が低くなる。このように、実施例では、前記第１のクルーン３７に到来したパチンコ球Ｂが、前記第１通孔４０(特定のルート)へ向けて優先的に誘導されるよう構成してあるから、第１のクルーン３７を転動するパチンコ球Ｂに対して遊技者の関心を強く惹き付けて、遊技に対する興趣の向上を図り得る。また、前記第２通孔４１の上端部を、該第２通孔４１における第１通孔４０から離間する側において第１のクルーン３７の転動面３８と同一の高さに位置すると共に、前記第１通孔４０が第２通孔４１のより下方に形成することで、一旦第２通孔４１へ向けてパチンコ球Ｂが転動した場合であっても、パチンコ球Ｂが第１通孔４０へ移動する可能性が残り、遊技者の興趣を低減することはない。
【００４０】
また、実施例では、前記第２のクルーン４３の転動面４４を、遊技者にとって有利な状態が惹起され易い第３通孔４７へ向けて下方傾斜するよう形成してあるから、パチンコ球Ｂが転動面４４を転動するにつれて次第に第３通孔４７へ向けて移動する。すなわち、第３通孔４７と第４通孔４８とを同一高さ位置に設けた場合に較べて、パチンコ球Ｂが第３通孔４７側へ案内され易いから、第２のクルーン４３を周回するパチンコ球Ｂに対する遊技者の関心が高くなる。更に、第２のクルーン４３の転動面４４に形成される第４通孔４８の直径に対して第３通孔４７の直径を大きくしたことで、最終的にパチンコ球Ｂが第３通孔４７を通過する可能性がより一層高まり、該第２のクルーン４３の転動面４４上を転動するパチンコ球Ｂに対する関心が向上する。すなわち、前記第１のクルーン３７から第２のクルーン４３へ到来したパチンコ球Ｂについても、パチンコ球Ｂを第３通孔４７(特定のルート)へ向けて誘導するよう構成してあるから、第２のクルーン４３を転動するパチンコ球Ｂに対して遊技者の関心を強く惹き付けて、遊技に対する興趣の向上が図られる。また、第３通孔４７を第４通孔４８より下方に位置するよう構成すると共に、第４通孔４８から第３通孔４７へのパチンコ球Ｂの移動を阻害する部材等を設けていないから、パチンコ球Ｂが第４通孔４８側へ移動したとしても、第３通孔４７側へ移動する可能性が残り、第２のクルーン４３を転動するパチンコ球Ｂに対する関心を持続させて、パチンコ球Ｂの動きを楽しませることが可能となる。
【００４１】
更に、実施例では、前記第１のクルーン３７および第２のクルーン４３を、球流通部材１３の下方位置に設けてある。すなわち、遊技者が遊技中に最も注目する図柄表示装置１２と、始動入賞装置１１との間に第１および第２のクルーン３７,４３が位置するから、遊技中においても各クルーン３７,４３で転動するパチンコ球Ｂが自然と遊技者の視界内に入る。このため、前述した前記第１および第２のクルーン３７,４３でのパチンコ球Ｂの動きに対する遊技者の興味を惹き付けることができ、このパチンコ球Ｂの動きによる演出効果を最大限まで高めることができ、遊技の興趣の向上が図られる。
【００４２】
また、前記始動入賞装置１１の直上に位置する第２のクルーン４３を、球流通部材１３における取付板２１の前端部(第１〜第３球排出部５７,５８,５９の前端部)より後方に位置するよう設けてあるから、遊技盤１０に植設した遊技釘１８に接触して弾かれながら遊技領域１０ｂを流下するパチンコ球Ｂが前記始動入賞装置１１に直接入賞する際に、第２のクルーン４３に接触することはない。すなわち、球流通部材１３の下方位置にクルーンを設けたとしても、パチンコ球Ｂが始動入賞装置１１に入賞する障害となることはない。
【００４３】
ここで、前記第２のクルーン４３の転動面４４を、前後方向の幅寸法より左右方向の幅寸法が大きな横長楕円形をなすよう形成したことで、該第２のクルーン４３を球流通部材１３における取付板２１の前端部(第１〜第３球排出部５７,５８,５９の前端部)より後方に位置させつつ、パチンコ球Ｂが転動する転動面４４の面積を確保することができる。従って、第２のクルーン４３を球流通部材１３における取付板２１の前端部(第１〜第３球排出部５７,５８,５９の前端部)より後方に位置させたとしても、第２のクルーン４３上でのパチンコ球Ｂの動きを充分楽しませることが可能となる。
【００４４】
また、前記第１のクルーン３７は球流通部材１３における取付板２１の前端部(第１〜第３球排出部５７,５８,５９の前端部)より前方へ突出するよう設けたから、該第１のクルーン３７を転動するパチンコ球Ｂの視認性が高まり、パチンコ球Ｂの動きによる演出効果を向上することができる。このとき、第１のクルーン３７を始動入賞装置１１に対して左右方向へ変位するよう設けたことで、遊技盤１０の遊技領域１０ｂを流下するパチンコ球Ｂが始動入賞装置１１に入賞する際に、該第１のクルーン３７が障害となることはない。
【００４５】
ここで、実施例では、前記第２のクルーン４３の上方に位置する第１のクルーン３７を、該第２のクルーン４３に対して右方向へ変位する位置に設けてある。このため、実施例のように上方に位置する第１のクルーン３７を前方へ配置し、下方に位置する第２のクルーン４３を後方へ配置する位置関係で球流通部材１３に設けたとしても、該第２のクルーン４３に対する視認性が阻害されることはなく、第２のクルーン４３を転動するパチンコ球Ｂの動きを充分に認識させることができる。更に、実施例では、前記第１および第２のクルーン３７,４３の夫々を、透明または半透明の部材で形成するから、各クルーン３７,４３上を転動するパチンコ球Ｂの視認性をより向上して、遊技の興趣の向上に寄与し得る。
【００４６】
〔変更例〕
なお、本発明に係る遊技機としては、実施例のものに限られるものではなく、種々の変更が可能である。
【００４７】
実施例では、第１球通路を上下方向に緩やかに起伏する波形に形成し、最上方位置に第１落下口を設け、最下方位置に第２落下口を設けるようにしたが、これに限定されるものではない。例えば、第１の球通路や第３の球通路を下方へ突出する弓状に形成するようにしてもよく、その経路の任意位置に第１落下口および第２落下口を任意数だけ設けることができる。同様に、第２球通路の形状も実施例のものに限定されるものではなく、第２球通路を上下方向に緩やかに起伏する波形に形成することもできる。
【００４８】
実施例では、第１の振分部を入賞装置に対して右方向へ変位する位置に設けたが、これに限らず、入賞装置に対して左右方向へ変位する位置に設けるようにすればよい。また、第１の振分部に形成する球出口の形成数や位置に関しても実施例ものに限られるものではなく、第１の球出口を第２の球出口より下方に位置して、誘導部により第２の球出口から第１の球出口へ向けて遊技球を転動させ得るよう構成すればよい。
【００４９】
また、実施例では、第１の振分部として、転動面上を周回するよう遊技球を転動させて該転動面に設けた複数の通孔の何れかから排出させる所謂クルーンを採用したが、これに限定されるものではなく、球流通部材に設けた球通入部からの遊技球を受入れて、有利な状態を惹起する入賞口への入賞確率が高確率となる第１の球出口、または該入賞口への入賞確率が低確率となる第２の球出口の何れかから遊技球を排出し得るよう構成すればよい。
【００５０】
また、第１の振分部に形成する誘導部の形状、構成は、実施例のものに限らず、少なくとも第２の球出口の一部を囲繞するよう第１の振分部の転動面から突出して、第２の球出口から第１の球出口へ向けて遊技球を転動させ得る形状・構成であれば任意に変更することができる。従って、例えば図１１に示すように、第１のクルーン３７の転動面３８から突出する誘導部６２の上端部を傾斜させてもよい。このとき、図１１に示す例のように、誘導部６２の上端部を第２通孔４１から第１通孔４０へ向けて下方傾斜するよう形成することで、第２通孔４１からパチンコ球Ｂが第１通孔４０へ移動する期待感を遊技者により強く持たせることができる。なお、図１１中の線Ｌ４は、誘導部６２の上端部の延長線である。また、図１２に示すように、第１のクルーン３７の転動面３８を略水平に形成し、第１通孔４０側の端部が転動面３８と同一の高さに位置するよう該転動面３８から誘導部６４を突出させるようにしてもよい。更に、図１３に示すように、第１のクルーン３７に下段に位置する転動面３８から突出するよう誘導部７２を形成するようにしても、実施例と同様の作用効果を得ることができる。なお、図１３に示す例では、第１のクルーン３７が受入れたパチンコ球Ｂが最初に誘導部７２上に到来するよう構成することで、第１通孔４０および第２通孔４１の何れにもパチンコ球Ｂが通過し得るから、第１のクルーン３７が振分部としての機能を損なうことがない。このように、第１の振分部の底面の形状と、第２の球出口の傾斜とを適宜組み合わせることで、誘導部の形状・構成を種々変更できる。
【００５１】
また、図１４に示すように、誘導部７４の端部に傾斜面７４ａを形成するようにしてもよい。このとき、誘導部７４の傾斜面７４ａは、図１４に示すように、第１通孔４０側へ下方傾斜するよう形成しても、反対に第２通孔４１側へ下方傾斜するよう形成してもよい。但し、前記傾斜面７４ａを第１通孔４０側へ下方傾斜するよう形成することで、パチンコ球Ｂが第１通孔側へ移動する期待感をより高めることができる。なお、図１１〜図１４において、実施例と同一の機能を有する部材・構成については、同一の符号を付してある。
【００５２】
また、実施例では、第２の振分部の転動面を、横長楕円形に形成したが、これに限らず、球排出部の前端部より後方に位置し得る形状・大きさに形成すればよい。なお、前後方向の幅寸法より左右方向の幅寸法が大きくなるよう第２の振分部の転動面を形成することにより、該転動面を単に円形に形成する場合に較べて、球排出部の前端部より後方に位置し得る形状・大きさとしたときの転動面の面積を確保して、遊技球の動きに対する自由度を高めることが可能となる。
【００５３】
更に、前述した第１の振分部と同様に、第２振分部に関しても実施例に示したクルーンに限られるものではなく、遊技球を受入れた遊技球を、有利な状態を惹起する入賞口への入賞確率が高確率となる第３の球出口、または該入賞口への入賞確率が低確率となる第４の球出口の何れかから排出し得るよう構成すればよい。
【００５４】
また、第１および第２の振分部の転動面に形成される球出口の形成位置は、実施例のものに限られず、壁部を切り欠いて球出口を形成することも可能である。この場合にも、有利な状態を惹起する入賞口への入賞確率が高確率となる球出口へ向けて遊技球が転動し得るよう構成することで、実施例と同様に、第１および第２の振分部での遊技球の動きに対する遊技者の期待感を高め得ると共に、遊技球の動きをより長時間に亘って楽しませることができる。
【００５５】
球流通部材としては、実施例のような図柄表示装置を臨ませる部材に限られるものではなく、遊技領域を流下中の遊技球を一時的に受入れて排出する部材であれば、任意の形状・構成の部材を採用することができ、また遊技領域の任意位置に配設することも可能である。また、実施例では、球流通部材が受入れた遊技球を遊技盤の遊技領域へ排出するよう構成したが、これに限られるものではなく、遊技盤の遊技盤へ排出して遊技球を回収するよう構成することも可能である。すなわち、内部に遊技球が転動し得る複数のルートが形成されて、受入れた遊技球を異なる複数の球排出口の何れかから排出するよう構成した部材(例えば、所謂第２種パチンコ機に配設される大型役物等)も、本発明の球流通部材に含まれる概念である。
【００５６】
なお、実施例では入賞口として始動入賞装置の入賞口を例示したが、これに限られるものではなく、特別入賞装置や一般入賞装置等の入賞口であってもよく、遊技球の入賞により遊技球の払出し等の遊技者に有利な状態を惹起する入賞装置を好適に採用し得る。
【００５７】
また、実施例では、遊技機としてパチンコ機を例にして説明したが、これに限られるものではなく、アレンジボール機、雀球機等の遊技機に採用することも可能であり、遊技盤の遊技領域を流下する遊技球を球通入部から受入れて球排出部から排出させる球流通部材を備えた遊技機であれば、何れの遊技機にも本発明を好適に採用することができる。
【図面の簡単な説明】
【００５８】
【図１】本発明の実施例に係るパチンコ機の遊技盤を示す正面図である。
【図２】実施例に係る球流通部材を示す斜視図である。
【図３】実施例に係る球流通部材のステージ部材を示す斜視図である。
【図４】実施例に係る第１のクルーンと、第２のクルーンと、取付板の位置関係を概略で示す平面図である。
【図５】実施例に係る第１のクルーンを示す平面図であって、第１のクルーンの転動面を転動するパチンコ球の転動パターンの一例を示す。
【図６】実施例に係る第２のクルーンを示す平面図であって、第２のクルーンの転動面を転動するパチンコ球の転動パターンの一例を示す。
【図７】図４におけるＡ―Ａ線断面図であって、第１および第２のクルーンを第１通孔および第２通孔の形成位置で縦断して示す。
【図８】実施例に係る第１のクルーンを、第１通孔の中心点と第２通孔の中心点とを結ぶ線で縦断した断面図であって、誘導部の形成位置を拡大して示す。
【図９】図７における第１のクルーンを縦断して示す拡大図であって、パチンコ球の動きの一例を示す。
【図１０】図７における第１のクルーンを縦断して示す拡大図であって、パチンコ球の動きの一例を示す。
【図１１】変更例に係る第１のクルーンを、第１通孔の中心点と第２通孔の中心点とを結ぶ線で縦断した断面図であって、誘導部の形成位置を拡大して示す。
【図１２】別の変更例に係る第１のクルーンを、第１通孔の中心点と第２通孔の中心点とを結ぶ線で縦断した断面図であって、誘導部の形成位置を拡大して示す。
【図１３】更に別の変更例に係る第１のクルーンを、第１通孔の中心点と第２通孔の中心点とを結ぶ線で縦断した断面図であって、誘導部の形成位置を拡大して示す。
【図１４】更に別の変更例に係る第１のクルーンを、第１通孔の中心点と第２通孔の中心点とを結ぶ線で縦断した断面図であって、誘導部の形成位置を拡大して示す。
【符号の説明】
【００５９】
１０  遊技盤
１０ｂ  遊技領域
１１  始動入賞装置(入賞口)
１３  球流通部材
２２  球入口(球通入部)
３７  第１のクルーン(振分部、第１の振分部)
３８  転動面
４０  第１通孔(第１の球出口)
４１  第２通孔(第２の球出口)
４２  誘導部
４３  第２のクルーン(第２の振分部)
４４  転動面
４７  第３通孔(第３の球出口)
４８  第４通孔(第４の球出口)
５７  第１球排出部(球排出部)
５８  第２球排出部(球排出部)
５９  第３球排出部(球排出部)
Ｂ  パチンコ球(遊技球)
【図１】
2008017940.tif 000003
【図２】
2008017940.tif 000004
【図３】
2008017940.tif 000005
【図４】
2008017940.tif 000006
【図５】
2008017940.tif 000007
【図６】
2008017940.tif 000008
【図７】
2008017940.tif 000009
【図８】
2008017940.tif 000010
【図９】
2008017940.tif 000011
【図１０】
2008017940.tif 000012
【図１１】
2008017940.tif 000013
【図１２】
2008017940.tif 000014
【図１３】
2008017940.tif 000015
【図１４】
2008017940.tif 000016